【事件の表示】
　特許第２７４７２３４号「パチンコ機」の請求項１ないし３に係る特許に対する特許異議の申立てについて、次のとおり決定する。
【結　論】
　訂正を認める。
　特許第２７４７２３４号の請求項１ないし３に係る特許を維持する。
【理　由】
１．手続の経緯
  本件特許第２７４７２３４号発明は、平成７年１月１９日に特許出願され、平成１０年２月１３日に設定登録された。その後、平成１０年１１月６日に若林美子より特許異議の申立てがあり、これを受けて平成１１年３月９日付け取消理由通知がなされ、平成１１年５月２４日付け訂正請求がなされた後、平成１１年１２月９日付け訂正拒絶理由が通知され、この訂正拒絶理由に対して平成１２年３月７日付け訂正請求書の手続補正書が提出された。
２．訂正の適否についての判断
（１）訂正請求書の補正の内容とその適否について
  特許権者は、訂正請求書に添付した訂正明細書における特許請求の範囲の
「【請求項１】 パチンコ機本体の裏側に設けられ、遊技回路ボックスとは別の賞球回路ボックス内に収納された賞球回路基板と、この賞球回路基板に実装され、パチンコ動作を制御する賞球制御装置と、前記賞球回路基板に設けられ、球貸装置がプリペイドカードから読取った金額情報を前記賞球制御装置に入出力するためのコネクタが実装されるコネクタ実装部とを備えたことを特徴とするパチンコ機。
【請求項２】賞球回路基板がパチンコ機本体の球貸装置側に設けられていることを特徴とする請求項１記載のパチンコ機。
【請求項３】コネクタ実装部には、球貸装置を賞球制御装置に接続するためのコネクタが実装され、このコネクタの接続部は球貸装置側へ指向していることを特徴とする請求項２記載のパチンコ機。」を、
「【請求項１】パチンコ機本体の裏側に設けられ、遊技回路ボックスとは別の賞球回路ボックス内に収納された賞球回路基板と、この賞球回路基板に実装され、賞球皿内にパチンコ球を払出す賞球制御装置と、前記賞球回路基板に設けられ、前記賞球制御装置に電気的に接続された印刷パターンを有するコネクタ実装部とを備え、前記コネクタ実装部は、当機がＣＲ機であるときには球貸装置がプリペイドカードから読取った金額情報を前記賞球制御装置に前記印刷パターンを介して入出力するためのコネクタおよびパチンコ球の払出ボタンを前記賞球制御装置に前記印刷パターンを介して接続するためのコネクタが実装され、当機が普通機であるときには両コネクタが実装されないものであることを特徴とするパチンコ機。
【請求項２】賞球回路基板がパチンコ機本体の球貸装置側に設けられていることを特徴とする請求項１記載のパチンコ機。
【請求項３】コネクタ実装部には、球貸装置を賞球制御装置に接続するためのコネクタが実装され、このコネクタの接続部は球貸装置側へ指向していることを特徴とする請求項２記載のパチンコ機。」に補正し、
また、訂正明細書の段落番号【０００６】の第２行目から第６行目にかけて記載した、
「パチンコ機本体の裏側に設けられ遊技回路ボックスとは別の賞球回路ボックスに収納された賞球回路基板と、この賞球回路基板に実装され、パチンコ動作を制御する賞球制御装置と、前記賞球回路基板に設けられ、球貸装置がプリペイドカードから読取った金額情報を前記賞球制御装置に入出力するためのコネクタが実装されるコネクタ実装部とを備えた」を、
「パチンコ機本体の裏側に設けられ遊技回路ボックスとは別の賞球回路ボックスに収納された賞球回路基板と、この賞球回路基板に実装され賞球皿内にパチンコ球を払出す賞球制御装置と、前記賞球回路基板に設けられ前記賞球制御装置に電気的に接続された印刷パターンを有するコネクタ実装部とを備え、前記コネクタ実装部は当機がＣＲ機であるときには球貸装置がプリペイドカードから読取った金額情報を前記賞球制御装置に前記印刷パターンを介して接続するためのコネクタが実装され、当機が普通機であるときには両コネクタが実装されないものである」に補正し、
また、訂正明細書の段落番号【０００８】の第３行目から第４行目にかけて記載した、
「コネクタ実装部にコネクタを実装することにより、コネクタと賞球制御装置とを接続する。従って、コネクタと賞球制御装置との間を配線する必要がなくなる。」を、
「コネクタ実装部に両コネクタを実装することにより、両コネクタと賞球制御装置とを接続する。従って、両コネクタと賞球制御装置との間を配線する必要がなくなる。」に補正し、
また、訂正明細書の段落番号【００４７】の第１行目から第７行目にかけて記載した、
「尚、上記実施例においては、普通機用の賞球回路基板２１にコネクタ２６ｃおよび２６ｄを実装しない構成としたが、これに限定されるものではなく、コネクタ２６ｃおよび２６ｄを実装しても良い（コネクタ２６ｃおよび２６ｄには対のコネクタが接続されない）。この構成の場合にも、コネクタ２６ｃおよび２６ｄと賞球制御装置２２とを接続するにあたって、余分な配線が廃止されるので、その結果、簡単・安価な構成により、普通機とＣＲ機との間で賞球回路基板２１兼用できる。」を削除し、
また、訂正明細書の段落番号【００４９】の第３行目から第４行目にかて記載した、
「賞球回路基板のコネクタ実装部にコネクタを実装することに伴い、賞球制御置とコネクタとを接続できる」を、
「賞球回路基板のコネクタ実装部に両コネクタを実装することに伴い、賞球制装置と両コネクタとを接続できる」と補正し、
また、訂正明細書の【符号の説明】の第１行目から第２行目にかて記載した、
「１１はパチンコ機本体、１６は遊技回路ボックス」を、
「１１はパチンコ機本体、１２は賞球皿、１２ｂは払出ボタン、１６は遊技回路ボックス」と補正するものである。
　そこで、この補正について検討すると、特許請求の範囲の補正内容は、願書に添付した明細書及び図面に記載された事項の範囲内であり、かつ特許請求の範囲の減縮に該当し、実質的に特許請求の範囲を拡張・変更するものではない。
　また、【発明の詳細な説明】の欄の記載の補正は、当初明細書及び図面に記載された事項の範囲内であり、かつ、実質上特許請求の範囲を拡張・変更するものではないことから、明瞭でない記載の釈明に該当する。
　したがって、この補正は、訂正請求書の要旨を変更するものでなく、特許法第１２０条の４第３項において準用する同法第１３１条第２項の規定に適合する適法なものと認める。
（２）訂正の内容
イ．特許請求の範囲の訂正
「【請求項１】 パチンコ機本体の裏側に設けられた回路基板と、この回路基板に実装され、パチンコ動作を制御する制御装置と、前記回路基板に設けられ、球貸装置がプリペイドカードから読取った金額情報を前記制御装置に入出力するためのコネクタが実装されるコネクタ実装部とを備えたことを特徴とするパチンコ機。
【請求項２】回路基板がパチンコ機本体の球貸装置側に設けられていることを特徴とする請求項１記載のパチンコ機。
【請求項３】コネクタ実装部には、球貸装置を制御装置に接続するためのコネクタが実装され、このコネクタの接続部は球貸装置側へ指向していることを特徴とする請求項２記載のパチンコ機。」を、
「【請求項１】パチンコ機本体の裏側に設けられ、遊技回路ボックスとは別の賞球回路ボックス内に収納された賞球回路基板と、この賞球回路基板に実装され、賞球皿内にパチンコ球を払出す賞球制御装置と、前記賞球回路基板に設けられ、前記賞球制御装置に電気的に接続された印刷パターンを有するコネクタ実装部とを備え、前記コネクタ実装部は、当機がＣＲ機であるときには球貸装置がプリペイドカードから読取った金額情報を前記賞球制御装置に前記印刷パターンを介して入出力するためのコネクタおよびパチンコ球の払出ボタンを前記賞球制御装置に前記印刷パターンを介して接続するためのコネクタが実装され、当機が普通機であるときには両コネクタが実装されないものであることを特徴とするパチンコ機。
【請求項２】賞球回路基板がパチンコ機本体の球貸装置側に設けられていることを特徴とする請求項１記載のパチンコ機。
【請求項３】コネクタ実装部には、球貸装置を賞球制御装置に接続するためのコネクタが実装され、このコネクタの接続部は球貸装置側へ指向していることを特徴とする請求項２記載のパチンコ機。」
と訂正する。
ロ．発明の詳細な説明の欄の訂正
（訂正事項ａ）
明細書の段落番号【０００６】の第２行目から第６行目にかけて記載した、
「パチンコ機本体の裏側に設けられた回路基板と、この回路基板に実装され、パチンコ動作を制御する制御装置と、前記回路基板に設けられ、球貸装置がプリペイドカードから読取った金額情報を前記制御装置に入出力するためのコネクタが実装されるコネクタ実装部とを備えた」を、
「パチンコ機本体の裏側に設けられ遊技回路ボックスとは別の賞球回路ボックスに収納された賞球回路基板と、この賞球回路基板に実装され賞球皿内にパチンコ球を払出す賞球制御装置と、前記賞球回路基板に設けられ前記賞球制御装置に電気的に接続された印刷パターンを有するコネクタ実装部とを備え、前記コネクタ実装部は当機がＣＲ機であるときには球貸装置がプリペイドカードから読取った金額情報を前記賞球制御装置に前記印刷パターンを介して接続するためのコネクタが実装され、当機が普通機であるときには両コネクタが実装されないものである」と訂正する。
（訂正事項ｂ）
明細書の段落番号【０００７】の第１行目および第３行目に記載の「回路基板」および「制御装置」を「賞球回路基板」および「賞球制御装置」と訂正する。
（訂正事項ｃ）
明細書の段落番号【０００８】の第２行目および第３行目に記載の「回路基板」および「制御装置」を「賞球回路基板」および「賞球制御装置」と訂正する。
（訂正事項ｄ）
明細書の段落番号【０００８】の第３行目から第４行目にかけて記載した、
「コネクタ実装部にコネクタを実装することにより、コネクタと賞球制御装置とを接続する。従って、コネクタと賞球制御装置との間を配線する必要がなくなる。」を、
「コネクタ実装部に両コネクタを実装することにより、両コネクタと賞球制御装置とを接続する。従って、両コネクタと賞球制御装置との間を配線する必要がなくなる。」と訂正する。
（訂正事項ｅ）
明細書の段落番号【０００９】の第１行目に記載の「回路基板」、第２行目に記載の「回路基板」、第５行目に記載の「回路基板」を各々「賞球回路基板」と訂正する。
（訂正事項ｆ）
明細書の段落番号【００４７】の第１行目から第７行目にかけて記載した、
「尚、上記実施例においては、普通機用の賞球回路基板２１にコネクタ２６ｃおよび２６ｄを実装しない構成としたが、これに限定されるものではなく、コネクタ２６ｃおよび２６ｄを実装しても良い（コネクタ２６ｃおよび２６ｄには対のコネクタが接続されない）。この構成の場合にも、コネクタ２６ｃおよび２６ｄと賞球制御装置２２とを接続するにあたって、余分な配線が廃止されるので、その結果、簡単・安価な構成により、普通機とＣＲ機との間で賞球回路基板２１兼用できる。」を訂正により削除する。
（訂正事項ｇ）
明細書の段落番号【００４９】の第３行目から第４行目にかけて記載した、
「賞球回路基板のコネクタ実装部にコネクタを実装することに伴い、賞球制御置とコネクタとを接続できる」を、
「賞球回路基板のコネクタ実装部に両コネクタを実装することに伴い、賞球制装置と両コネクタとを接続できる」と訂正する。
（訂正事項ｈ）
明細書の段落番号【００５０】の第１行目に記載の「回路基板」、第２行目から第３行目にかけて記載の「回路基板」、第５行目に記載の「回路基板」を各々「賞球回路基板」と訂正し、第３行目から第４行目にかけて記載の「制御装置」を「賞球制御装置」と訂正する。
（訂正事項ｉ）
明細書の【符号の説明】の１行目から第２行目にかけて記載の「１１はパチンコ機本体、２１は賞球回路基板（回路基板）、２１ａはコネクタ実装部、２２は賞球制御装置（制御装置）」を「１１はパチンコ機本体、１２は賞球皿、１２ｂは払出ボタン、１６は遊技回路ボックス、２１は賞球回路基板、２１ａはコネクタ実装部、２２は賞球制御装置」と訂正する。
（３）訂正の目的の適否及び拡張・変更の存否
　上記特許請求の範囲の訂正内容は、当初明細書及び図面に記載された事項の範囲内であり、かつ特許請求の範囲の減縮に該当し、実質的に特許請求の範囲を拡張・変更するものではない。
　また、同時に訂正された【発明の詳細な説明】の欄の訂正は、当初明細書及び図面に記載された事項の範囲内であり、かつ、実質上特許請求の範囲を拡張・変更するものではないことから、明瞭でない記載の釈明に該当する。
（４）独立特許要件の判断
（引用刊行物記載の発明）
  訂正明細書の請求項１〜３に係る発明に対し、先の訂正拒絶理由通知の証拠として示した下記刊行物には、それぞれ以下の発明が記載されている。
引用例１：特開平５−２３４２６号公報
引用例２：特開平６−２５４２１７号公報
引用例３：特開平４−３５４９６３号公報
引用例４：特開平６−１７８８５１号公報
○引用例１
　「遊技盤の遊具部内に設けられた各種入賞具や変動入賞装置等に入賞した遊技球を検出することに基づいて入賞球検出信号を発する複数の入賞球検出手段と、上記遊技盤に設けた各種遊技装置の動作制御を行うと共に、各入賞球検出手段から供給される各入賞球検出信号に応じた々賞球種別を確定し、該賞球種別に応じた賞球種別信号を出力する遊技盤制御装置と、通貨と等価な有価データが記録された遊技用のプリペイドカードから有価データを読み出し、該有価データの範囲内で遊技者が選択した球貸球数に応じた球貸要求信号を発すると共に、該球貸し要求信号に応じた球を遊技者に貸し出したことに基づいて、プリペイドカードの有価データを書き換えるカード制御手段を備えるカード制御装置と、遊技媒体を遊技に供し得る遊技球として排出可能な遊技媒体排出装置と、上記遊技盤制御装置より入力される賞球種別信号に応じた所定数の賞球排出動作、もしくはカード制御装置より入力される貸球要求信号に応じた所定数の貸球排出動作を行うように、上記遊技媒体排出装置を制御する排出制御装置と、を設けたことを特徴とする遊技機。」（特許請求の範囲）、
「しかし、各種遊技盤の遊技制御は電気的制御装置によって行われるために、遊技盤の交換に際しては、当該遊技盤と互換性を有する新たな電気的制御装置に交換する必要が生ずる。このため、遊技盤と電気的制御装置とは同時に交換しなければならないが、電気的制御装置には遊技媒体たる球の排出動作を遊技媒体排出装置に行わせる排出制御部分も含まれており、この排出制御部分に関しては、本来交換の必要性がないにも拘わらず、遊具盤の交換と同時に電気的制御装置全体が交換されることになる。このような電気的制御装置全体の交換は徒に粗大ゴミを生む結果となり、今般の廃棄物処理の面で憂慮すべき問題点であると共に、このような電気的制御装置全体の交換を強いられる遊技店側は、遊技盤の交換に際して過度の価格を支払わざるを得ない。しかしながら、単に遊技盤制御部分と排出制御部分とを分割しただけでは、遊技盤の遊技内容に応じて行われる各種入賞具への入賞に基づく排出賞球数の変更に対応できなくなる。さらに、近来の遊技店においては、プリペイドカードによって遊技媒体を借りる構成のものがあり、球貸用の遊技媒体排出装置と賞球排出用の遊技媒体排出装置を別途設けることは、これら遊技媒体排出装置の配設スペースが別途必要になると共に、２つの遊技媒体配設装置を設けることは、プリペイドカードによる遊技媒体貸与システムを導入する際の価格にも大きな影響を与える結果となる。また、このプリペイドカードによる遊技媒体の排出動作を制御するための過度制御部分をも電気的制御装置に設けるものとすれば、遊技盤の交換に際して、交換を余儀なくされるために、大変不経済である。そこで、遊技機の遊技盤を交換する際に、電気的制御装置の排出制御部分およびカード制御部分を交換することなく、新たな遊技盤による遊技制御を当該遊技機において為し得ると共に、単一の遊技媒体排出装置によって、貸し球動作と賞球排出動作を行わせることが可能な遊技機の開発が望まれていた。」（第２頁第１欄第３７行〜同頁第２欄第２０行）、
「各種入賞具や各種入賞装置に遊技球が入賞し、該入賞球を検出した何れかの入賞球検出手段より入賞球検出信号が入力されると、遊技盤制御装置は、該入賞球検出信号に応じて予め設定された賞球種別を確定し、該賞球種別に応じた賞球種別信号を排出制御装置に出力する。上記のようにして遊技盤制御装置より賞球種別信号が入力されると、排出制御装置は、賞球種別信号に応じて予め設定された賞球数を確定し、遊技媒体排出装置を駆動制御して、確定した賞球数分の遊技球を遊技媒体排出装置より排出させる。また、当該遊技機を利用する遊技者が使用するプリペイドカードがカード制御装置に挿入されることに伴って、該カード制御装置は当該プリペイドカードの有価データを読み出す。そして、遊技者に意志に基づいて選択された球貸数に応じた球貸要求信号を排出装置へ出力する。上記のようにしてカード制御装置より球貸要求信号が入力されると、排出制御装置は、球貸要求信号に応じて予め設定された球貸球数を確定し、遊技媒体排出装置を駆動制御して、確定した球貸球数分の遊技球を遊技媒体排出装置より排出させる。」（第２頁第５０行〜第３頁第３ 欄第１８行）、
「パチンコ機１は図１５に示すように、遊技盤５に設けた各種入賞具２２・・・等に入賞することに基づく賞品球の排出動作を行ったり、変動入賞装置２８や可変表示装置２５等の大型の遊技装置を動作制御したりする主制御部１３０と、プリペイドカード１３１を使用することによって、当該パチンコ機１の遊技媒体排出装置６４から遊技媒体たる球を借りることを可能にするカード制御装置９とから構成してある。このように、遊技盤制御機能と排出制御機能と力ード制御機能とを３つの制御装置（遊技盤制御装置１３２、排出制御装置１３３及びカード制御装置９）に分散構成することで、各制御機能毎の交換が可能になるのである。
【００８３】主制御部１３０は、主として遊技盤５に設けた各種の遊技装置を制御するための遊技盤制御装置１３２と、主として遊技媒体排出装置６４から遊技媒体たる遊技球を排出させるための制御を司る排出制御装置１３３とから構成してあり、当該パチンコ機１における遊技制御をカード制御装置９から独立して行うことができる。」（第１１頁第１９ 欄第２３〜４１行、第２、１５図）、
「上記のように、当該パチンコ機１の動作制御を行う電気的制御装置における遊技盤制御機能と排出制御機能とカード制御機能とを３つの制御装置（遊技盤制御装置１３２、排出制御装置１３３、カード制御装置９）に分散構成することで、各制御装置における負担（処理スピードや各種検出器の検出情報を読み込む範囲等）を軽減できると共に、様々な制御動作を同時処理可能となる。しかも、一部の制御機能のみに生じた故障が他の制御機能に影響を及ぼすことを防ぐことができ、例えば、カード制御装置９に支障が生じた場合においても、遊技媒体たる小球を他から供給することで、当該パチンコ機１におけるパチンコ遊技を通常通り行うことができるのである。」（第１３頁第２３欄第１〜１３行、第２、１５図）、
「上記のように、交信信号を負論理とすることにより、排出制御装置１３３とカード制御装置９間を接続するコネクタの抜けによって、各装置が誤動作することを防止できる。」（第２５頁第４８欄第４４〜４７行、第３０図）と記載されている。
○引用例２
　「【請求項１】ゲージ盤の表面やゲージ盤の内部あるいは該ゲージ盤の裏側に、電飾器、中央役物あるいはコントロールユニット等の各種電気機器が配設されてなるゲーム機において、前記ゲージ盤の裏面にプリント基板を貼付し、前記電気機器のうち少なくとも二つ以上の電気機器を所定の配置位置において該プリント基板に直接接続し、前記二つ以上の電気機器相互の接続を前記プリント基板の回路導体を介して行う構成としたことを特徴とするゲーム機。
【請求項２】前記プリント基板には、遊技場におけるホールコンピュータ等の外部機器の信号線を接続し、前記信号線は、前記プリント基板の回路導体を介して前記電気機器のうち所定の電気機器に接続したことを特徴とする請求項１記載のゲーム機。
【請求項３】前記プリント基板には、前記電気機器に電力を供給するための電源ユニットを所定の配置位置において直接接続し、前記電源ユニットの電源出力を、前記プリント基板の回路導体を介して前記電気機器のうちの所定の電気機器の電源入力に接続したことを特徴とする請求項１記載のゲーム機。
【請求項４】前記電気機器の入力端子、前記外部機器の信号線あるいは前記電源ユニットの出・力端子の前記プリント基板への接続は、コネクタを介して行う構成としたことを特徴とする請求項１、２又は３記載のゲーム機。」（特許請求の範囲）、
「本実施例のゲーム機は、パチンコ機であって、図１に示すように、ゲージ盤１０の裏面全体を覆うようにプリント基板２０が貼付されている。ゲージ盤１０の表面（ゲーム領域）あるいはその内部には、図２に示す如く、パチンコ玉の取込み口としてのセーフ孔１１やアウト孔１２が形成され、中央役物１３あるいは電飾器１４等が設けられている。また、ゲージ盤１０の前面には、ゲーム領域の部分がガラス板とされた前扉１５が設けられ、さらにその正面下部には、パチンコ玉を入れる皿１５ａや、カード出入り口１５ｂ、清算スイッチ１６、データ表示器１７、玉の取込み・払出スイッチ１８、玉を打出すためのハンドル１９等の周知の要素が配設されている。
【００１８】また、ゲージ盤１０（プリント基板２０）の裏面には、図１、３、４に示す如く、本パチンコ機全体の動作を制御するコントロールユニット６０とセーフ・アウト玉ガイド６１、中央役物用カバ６２、賞球用ガイド６３、シャツタ６４、シャツタレバ６５、賞球用無限カウンタ６６、賞球払出ダクト６７、整列機６８、島内払出通路、６９、玉計数センサ７ ０、電源ユニット７１、玉発射装置７２が設けられている。」（第３頁第４欄第１６〜３７行、第１〜５図）、
「またここで、中央役物１３、電飾装置１４、清算スイッチ１６、データ表示器１７、玉の取込み・払出スイッチ１８、コントロールユニット６０、賞球用無限カウンタ６６、玉計数センサ７０等は、本発明の電気機器であり、必要に応じてゲージ盤２０を貫通した状態に設けられて、プリント基板２０に半田付け又はコネクタにより直接接続されている。」（第４頁第５欄第１２〜１８行、第１〜５図）、
「また、プリント基板２０にはコントロールユニット用コネクタ２４が設けられ、このコネクタ２４の相手側のコネクタがコントロールユニット６０に設けられることによって、コントロールユニット６０がプリント基板２０に直接取り付けて接続できるように構成されている。なお、コントロールユニット６０は、ゲームそのものを制御するソフトと、ＣＰＵが内蔵されており、それ自体が一つのカードの様になっているとともに、改ざん不能なように封印されている。
【００２７】また、プリント基板２０にはコンピュータ入出力用コネクタ２５が設けられ、コンピュータの信号線２６の端末にこのコネクタ２５の相手側のコネクタ２５ａが取り付けられることにより、前記信号線２６がワンタッチでプリント基板２０に接続できるように構成されている。
【００２８】また、プリント基板２０には外部入出力用コネクタ２７が設けられ、他の外部機器をプリント基板２０を介してコントロールユニット６０等にワンタッチで接続できるように構成されている。」（第４頁第６欄第１〜２１行、第１〜５図）、
「次に作用を説明する。上記ゲーム機では、中央役物１３、電飾装置１４、コントロールユニット６０、賞球用無限カウンタ６６、玉計数センサ７０等の電気機器相互間の接続、コンピュータの信号線２６と前記電気機器との接続、あるいは前記電気機器と電源ユニット７１との接続の全てが、ワンタッチで接続されるコネクタとゲージ盤１０の裏面に貼付されたプリント基板２０の回路導体により行われる。そのため、内部配線を数量的にも長さ的にも大幅に削減することができ、組立て作業における配線続作業が極めて容易になって、配線ミス等の作業不良も低減されるとともに、ぶらぶらした余分な配線がなくなって見栄えもよくなる。」（第４頁第６欄第３４〜４５行、第１〜５図）と記載されている。
○引用例３
　「なお、カード処理制御部１３５と打球供給皿５９に設けられている各種表示器や各種操作ボタンのスイッチならびに払出制御基板ボックス１４５内の払出集中制御基板７３０とを中継端子基板１３８を介することなく直接配線により接続し、払出集中制御基板７３０と玉払出基板７０とを中継端子基板１３８を介して接続するようにしてもよい。」（第４頁第５欄第１２〜１８行、第１、２図）と記載されている。
　引用例４には、「遊技動作を制御する制御回路基板において、前記制御回路基板の表裏に制御回路を構成する複数の電子部品を実装するとともに、収納ケースに収納されて遊技機に取り付けられた際に外部から視認し得る側の実装面に実装される電子部品として少なくとも制御中枢としてのマイクロプロセッサと遊技プログラムを格納するＲＯＭとを含むものであることを特徴とする遊技機における制御回路基板。」（特許請求の範囲）、
「上記した構成からなる収納ケース２０に収納される制御回路基板５０は、その表裏に遊技動作を制御する制御回路を構成する複数の電子部品が実装されている。具体的には、前記カバーケース２２の透明板４３から透視し得る表側実装面５１に実装される主な電子部品としては、図２（Ａ）に示すように、制御中枢としてのＣＰＵ５３や遊技プログラムが格納されるＲＯＭ５４、及び前記中継端子板５、センター入賞装置に接続される配線を接続する入出力コネクタ端子５５等であり、前記固定ケース２１の透明板３１から透視し得る裏側実装面５２に実装される主な電子部品としては、図２（Ｂ）に示すように、入出力信号を司る入出力ＬＳＩ５６及びそれに付随する多数の抵抗等である。」（第５頁第７欄第１９〜３１行、図１、２）と記載されている。
（対比・判断）
　そこで、訂正明細書の請求項１に係る発明と上記各引用例１〜４に記載された発明とを対比すると、各引用例には、訂正明細書の請求項１に係る発明の構成要素である「コネクタ実装部は、当機がＣＲ機であるときには球貸装置がプリペイドカードから読取った金額情報を前記賞球制御装置に前記印刷パターンを介して入出力するためのコネクタおよびパチンコ球の払出ボタンを前記賞球制御装置に前記印刷パターンを介して接続するためのコネクタが実装され、当機が普通機であるときには両コネクタが実装されないものである」とする構成（以下、構成Ａと言う）が開示されておらず、またそれを示唆する記載もない。
　そして訂正明細書の請求項１に係る発明は、この構成によって明細書に記載した「余分な配線が廃止され、その結果、簡単・安価な構成により普通機とＣＲ機との間で裏部品が兼用されるようになる。」と言う顕著な効果を奏するものである。
　したがって、訂正明細書の請求項１に係る発明は上記各引用例記載の発明から容易に想到し得たものと言うことは出来きず、また、訂正明細書の請求項２及び３に係る発明は請求項１を引用する発明であって、請求項１に係る発明と同様に上記各引用例記載の発明から容易に想到し得たものとすることはできないから、訂正明細書の請求項１ないし３に係る発明は、独立して特許を受けることができない発明とすることはできない。
（５)むすび
  以上のとおり、上記訂正請求は、特許法第１２０条の４第２項及び同条第３項で準用する第１２６条第２乃至４項の規定に適合するものであるからこれを認める。
３．特許異議の申立てについての判断
（１）申立て理由の概要
  特許異議申立人若林美子は、本件請求項１ないし３に係る発明は、平成１０年１１月６日付けの特許異議申立書で示した本件特許の出願日前に頒布された刊行物である甲第１号証から甲７号証に記載された発明から容易に発明できたものであり、特許法第２９条第２項の規定により特許を受けることができないものであるから、その特許を取り消すべきと主張している。
（２）証拠
　甲第１号証から甲第４号証は、上記２．（４）の独立特許要件で記載した引用例１から引用例４にそれぞれ該当し、それぞれに対応した内容の発明が記載されている。
　また、甲第５号証には、パチンコ機において「遊技機と玉貸機はケーブルを介して電気的に接続されている。そして玉貸機からその接続を確認するための信号（接続確認信号）が前記遊技機に出力され、遊技機の発射装置（図示せず）が動作できる状態に制御されるようになっている。」（公報中の段落番号【０００２】）とする構成が記載されている。甲第６号証には、遊技機において「ケーブルの途中にコネクタを介装し、このコネクタの一方を遊技機本体に、他方を遊技媒体供給ユニットに固定しておき、前記遊技媒体供給ユニットの開放時において前記コネクタを接続状態とし、また、遊技媒体供給ユニットを閉じたときにおいて、前記コネクタを接続状態とする対処構造が考えられる。」（公報中の段落番号【００１０】）とする構成が記載されている。甲第７号証には、パチンコ遊技機装置において「台間球貸し装置３０とパチンコ遊技機装置はＤＳＵＢ−２５ＰＩＮコネクタが接続されたケーブル３２により接続されている。」（公報中の段落番号【０００９】）、「第１コネクタは台間球貸し装置３０のカード読み取り装置３１に接続され、第２コネクタは球貸しスイッチ１８ａ、カード返却スイッチ１８ｂ及び表示部１９に接続され、第３コネクタはカードの情報に基づいて貸し球排出装置２７を制御する制御部（不図示）に接続される。」（公報中の段落番号【００１０】）とする構成が記載されている。
（３）判断
  そこで、本件請求項１に係る発明と上記甲号各証に記載の発明とを対比すると、甲第１号証から甲第４号証には、上記２．（４）の独立特許要件の判断にて示したように前記構成Ａが記載されておらず、また甲第５号証から甲第７号証についても前記構成Ａは記載されていない。
　したがって、本件請求項１に係る発明は甲号各証によってその新規性及び進歩性を否定し得るものではなく、また、本件請求項２及び３に係る発明は前記構成Ａを備える請求項１を引用する発明であるから、同じく甲号各証によってその新規性及び進歩性を否定し得るものではない。
（４）むすび
　以上のとおり、本件請求項１ないし３に係る発明は異議申立人若林美子が主張する理由及びその証拠によっては特許を受けることができないものとすることはできないから、本件請求項１ないし３に係る特許を取り消すことはできない。
　また、本件請求項１ないし３に係る特許を取り消すべき他の理由を発見しない。
　よって、結論のとおり決定する。
【異議決定日】
平成１２年４月１１日（２０００．４．１１）
【訂正の要旨】
訂正の要旨
イ．特許請求の範囲の訂正
「【請求項１】　パチンコ機本体の裏側に設けられた回路基板と、この回路基板に実装され、パチンコ動作を制御する制御装置と、前記回路基板に設けられ、球貸装置がプリペイドカードから読取った金額情報を前記制御装置に入出力するためのコネクタが実装されるコネクタ実装部とを備えたことを特徴とするパチンコ機。
　【請求項２】回路基板がパチンコ機本体の球貸装置側に設けられていることを特徴とする請求項１記載のパチンコ機。
　【請求項３】コネクタ実装部には、球貸装置を制御装置に接続するためのコネクタが実装され、このコネクタの接続部は球貸装置側へ指向していることを特徴とする請求項２記載のパチンコ機。」を、
「【請求項１】パチンコ機本体の裏側に設けられ、遊技回路ボックスとは別の賞球回路ボックス内に収納された賞球回路基板と、この賞球回路基板に実装され、賞球皿内にパチンコ球を払出す賞球制御装置と、前記賞球回路基板に設けられ、前記賞球制御装置に電気的に接続された印刷パターンを有するコネクタ実装部とを備え、前記コネクタ実装部は、当機がＣＲ機であるときには球貸装置がプリペイドカードから読取った金額情報を前記賞球制御装置に前記印刷パターンを介して入出力するためのコネクタおよびパチンコ球の払出ボタンを前記賞球制御装置に前記印刷パターンを介して接続するためのコネクタが実装され、当機が普通機であるときには両コネクタが実装されないものであることを特徴とするパチンコ機。
　【請求項２】賞球回路基板がパチンコ機本体の球貸装置側に設けられていることを特徴とする請求項１記載のパチンコ機。
　【請求項３】コネクタ実装部には、球貸装置を賞球制御装置に接続するためのコネクタが実装され、このコネクタの接続部は球貸装置側へ指向していることを特徴とする請求項２記載のパチンコ機。」
と訂正する。
ロ．発明の詳細な説明の欄の訂正
（訂正事項ａ）
明細書の段落番号【０００６】の第２行目から第６行目にかけて記載した、
「パチンコ機本体の裏側に設けられた回路基板と、この回路基板に実装され、パチンコ動作を制御する制御装置と、前記回路基板に設けられ、球貸装置がプリペイドカードから読取った金額情報を前記制御装置に入出力するためのコネクタが実装されるコネクタ実装部とを備えた」を、
「パチンコ機本体の裏側に設けられ遊技回路ボックスとは別の賞球回路ボックスに収納された賞球回路基板と、この賞球回路基板に実装され賞球皿内にパチンコ球を払出す賞球制御装置と、前記賞球回路基板に設けられ前記賞球制御装置に電気的に接続された印刷パターンを有するコネクタ実装部とを備え、前記コネクタ実装部は当機がＣＲ機であるときには球貸装置がプリペイドカードから読取った金額情報を前記賞球制御装置に前記印刷パターンを介して接続するためのコネクタが実装され、当機が普通機であるときには両コネクタが実装されないものである」と訂正する。
（訂正事項ｂ）
明細書の段落番号【０００７】の第１行目および第３行目に記載の「回路基板」および「制御装置」を「賞球回路基板」および「賞球制御装置」と訂正する。
（訂正事項ｃ）
明細書の段落番号【０００８】の第２行目および第３行目に記載の「回路基板」および「制御装置」を「賞球回路基板」および「賞球制御装置」と訂正する。
（訂正事項ｄ）
明細書の段落番号【０００８】の第３行目から第４行目にかけて記載した、
「コネクタ実装部にコネクタを実装することにより、コネクタと賞球制御装置とを接続する。従って、コネクタと賞球制御装置との間を配線する必要がなくなる。」を、
「コネクタ実装部に両コネクタを実装することにより、両コネクタと賞球制御装置とを接続する。従って、両コネクタと賞球制御装置との間を配線する必要がなくなる。」と訂正する。
（訂正事項ｅ）
明細書の段落番号【０００９】の第１行目に記載の「回路基板」、第２行目に記載の「回路基板」、第５行目に記載の「回路基板」を各々「賞球回路基板」と訂正する。
（訂正事項ｆ）
明細書の段落番号【００４７】の第１行目から第７行目にかけて記載した、
「尚、上記実施例においては、普通機用の賞球回路基板２１にコネクタ２６ｃおよび２６ｄを実装しない構成としたが、これに限定されるものではなく、コネクタ２６ｃおよび２６ｄを実装しても良い（コネクタ２６ｃおよび２６ｄには対のコネクタが接続されない）。この構成の場合にも、コネクタ２６ｃおよび２６ｄと賞球制御装置２２とを接続するにあたって、余分な配線が廃止されるので、その結果、簡単・安価な構成により、普通機とＣＲ機との間で賞球回路基板２１兼用できる。」を訂正により削除する。
（訂正事項ｇ）
明細書の段落番号【００４９】の第３行目から第４行目にかけて記載した、
「賞球回路基板のコネクタ実装部にコネクタを実装することに伴い、賞球制御置とコネクタとを接続できる」を、
「賞球回路基板のコネクタ実装部に両コネクタを実装することに伴い、賞球制装置と両コネクタとを接続できる」と訂正する。
（訂正事項ｈ）
明細書の段落番号【００５０】の第１行目に記載の「回路基板」、第２行目から第３行目にかけて記載の「回路基板」、第５行目に記載の「回路基板」を各々「賞球回路基板」と訂正し、第３行目から第４行目にかけて記載の「制御装置」を「賞球制御装置」と訂正する。
（訂正事項ｉ）
明細書の【符号の説明】の１行目から第２行目にかけて記載の「１１はパチンコ機本体、２１は賞球回路基板（回路基板）、２１ａはコネクタ実装部、２２は賞球制御装置（制御装置）」を「１１はパチンコ機本体、１２は賞球皿、１２ｂは払出ボタン、１６は遊技回路ボックス、２１は賞球回路基板、２１ａはコネクタ実装部、２２は賞球制御装置」と訂正する。
（５４）【発明の名称】
パチンコ機
（５７）【特許請求の範囲】
　　【請求項１】　パチンコ機本体の裏側に設けられ
、遊技回路ボックスとは別の賞球回路ボックス内に収納された賞球
　この賞球回路基板に実装され、
賞球皿内にパチンコ球を払出す賞球
　前記
賞球
前記賞球制御装置に電気的に接続された印刷パターンを有する
、
　
前記コネクタ実装部は、当機がＣＲ機であるときには球貸装置がプリペイドカードから読取った金額情報を前記賞球制御装置に前記印刷パターンを介して入出力するためのコネクタおよびパチンコ球の払出ボタンを前記賞球制御装置に前記印刷パターンを介して接続するためのコネクタが実装され、当機が普通機であるときには両コネクタが実装されないものである
　　【請求項２】　
賞球
　　【請求項３】　コネクタ実装部には、球貸装置を
賞球
【発明の詳細な説明】
　　　【０００１】
　　【産業上の利用分野】
　本発明は、パチンコ機において、普通機とＣＲ機との間で回路基板等の裏部品を兼用する技術に関する。
　　　【０００２】
　　【従来の技術】
　図１１はパチンコ機の従来構成を示す背面図である。ここで、パチンコ機の裏面には機構盤１が取付けられ、機構盤１の図示左下には賞球回路基板２が装着されている。そして、賞球回路基板２には賞球制御装置が実装されており、賞球制御装置は、賞球皿にパチンコ球を払出す等のパチンコ動作を制御する。
　　　【０００３】
　ところで、近年のＣＲ機の普及には目覚しいものがある。このＣＲ機は、球貸装置にプリペイドカードを挿入すると、球貸装置のカードリーダがプリペイドカードから残金情報を読取る構成になっており、カードリーダが読取った残金情報に基づいて貸球量の制御等が行われる。従って、普通機の裏部品（機構盤１および賞球回路基板２等）をＣＲ機に流用しようとすると、賞球制御装置とカードリーダとの間を接続し、賞球制御装置により貸球量の制御等を行うことになる。
　　　【０００４】
　　【発明が解決しようとする課題】
　しかしながら、上記従来では、機構盤１の図示右側にカードリーダ接続部３を設け、カードリーダ接続部３のコネクタ３ａを介して賞球制御装置と球貸装置４とを接続していた。このため、普通機とＣＲ機との間で賞球回路基板２を兼用するにあたって、余分な配線が必要であった。
　　　【０００５】
　本発明は上記事情に鑑みてなされたものであり、その目的は、余分な配線を行うことのない簡単・安価な構成により、普通機とＣＲ機との間で裏部品を兼用できるパチンコ機を提供することである。
　　　【０００６】
　　【課題を解決するための手段】
　請求項１記載のパチンコ機は、パチンコ機本体の裏側に設けられ
遊技回路ボックスとは別の賞球回路ボックス内に収納された賞球
賞球
賞球皿内にパチンコ球を払出す賞球
賞球
前記賞球制御装置に電気的に接続された印刷パターンを有する
、前記コネクタ実装部は当機がＣＲ機であるときには球貸装置がプリペイドカードから読取った金額情報を前記賞球制御装置に前記印刷パターンを介して入出力するためのコネクタおよびパチンコ球の払出ボタンを前記賞球制御装置に前記印刷パターンを介して接続するためのコネクタが実装され、当機が普通機であるときには両コネクタが実装されないものである
　　　【０００７】
　請求項２記載のパチンコ機は、
賞球
　請求項３記載のパチンコ機は、球貸装置を
賞球
　　　【０００８】
　　【作用】
　請求項１記載の手段によれば、ＣＲ機を製造するにあたっては、
賞球
両
両
賞球
両
賞球
　　　【０００９】
　請求項２記載の手段によれば、
賞球
賞球
　請求項３記載の手段によれば、コネクタの接続部が球貸装置側へ指向しているため、ＣＲ機をホールに設置するにあたって、
賞球
　　　【００１０】
　　【実施例】
　以下、本発明の一実施例を図１ないし図１０に基づいて説明する。まず、図４において、パチンコ機本体１１の表面には賞球皿１２が設けられ、賞球皿１２内にはパチンコ球が収容されている。また、パチンコ機本体１１の表面には操作ハンドル１３が設けられている。そして、操作ハンドル１３の裏側にはモータ１３ａ（図３参照）が設けられており、操作ハンドル１３を矢印Ａ方向へ回動操作すると、モータ１３ａがオンされ、打球槌（図示せず）が賞球皿１２内のパチンコ球を賞球皿１２から打出すように構成されている。
　　　【００１１】
　パチンコ機本体１１の表面には遊技盤１４が設けられており、打球槌が賞球皿１２から打出したパチンコ球は遊技盤１４内に弾き出される。また、パチンコ機本体１１の裏面には、図３に示すように、プラスチック製の機構盤１５が取付けられている。そして、機構盤１５の中央部には遊技回路ボックス１６が装着されており、この遊技回路ボックス１６内には、マイクロプロセッサを主体に構成された遊技制御装置１６ａ（図５参照）が収容されている。
　　　【００１２】
　遊技盤１４には、図４に示すように、図柄表示装置１４ａおよび入賞口１４ｂが設けられている。この入賞口１４ｂには、入賞球検出センサ１４ｃ（図５参照）が装着されており、入賞球検出センサ１４ｃは、入賞口１４ｂにパチンコ球が入賞したことを検出する。そして、入賞球検出センサ１４ｃおよび図柄表示装置１４ａは、図５に示すように、遊技制御装置１６ａに接続されており、遊技制御装置１６ａは、入賞球検出センサ１４ｃのオンタイミングに基づいて図柄表示装置１４ａに大当たり図柄を表示する等、一連の遊技動作を制御する。
　　　【００１３】
　機構盤１５の下部には、図３に示すように、集合樋１７が形成されており、入賞口１４ｂに入賞したパチンコ球は、集合樋１７により集められ、集合樋１７内を整列状態で流れるようになっている。また、機構盤１５には、集合樋１７の終端部に位置して入賞球検出ユニット１８が設けられており、集合樋１７内を流れるパチンコ球は入賞球検出ユニット１８内に流入する。
　　　【００１４】
　入賞球検出ユニット１８は、第１球検出センサ１８ａ（図５参照）や入賞球送り機構等から構成されたものであり、入賞球検出ユニット１８内に流入したパチンコ球は、第１球検出センサ１８ａにより検出された後、入賞球送り機構により入賞球検出ユニット１８から１個ずつ送り出される。また、機構盤１５には、図３に示すように、入賞球検出ユニット１８の排出側に位置して排出口１９が形成されており、入賞球検出ユニット１８から送り出されたパチンコ球は排出口１９からパチンコ機本体１１の外部に排出される。
　　　【００１５】
　機構盤１５の図示右側には賞球回路ボックス２０が取付けられ、賞球回路ボックス２０内には、図１に示すように、片面プリント配線基板からなる賞球回路基板２１が収容されている。この賞球回路基板２１は回路基板に相当するものであり、賞球回路基板２１には賞球制御装置２２が実装されている。この賞球制御装置２２はマイクロプロセッサを主体に構成されたものであり、制御装置に相当する。
　　　【００１６】
　賞球制御装置２２には、図５に示すように、遊技制御装置１６ａが接続されており、この遊技制御装置１６ａの大当り情報は賞球制御装置２２に出力される。また、賞球制御装置２２にはホストコンピュータ２３が接続されており、賞球制御装置２２は、遊技制御装置１６ａの大当り情報をホストコンピュータ２３に出力する。尚、機構盤１５の図示右上には、図３に示すように、中継基板２３ａが設けられており、賞球制御装置２２は、中継基板２３ａを介してホストコンピュータ２３に接続されている。
　　　【００１７】
　賞球回路基板２１には、図５に示すように、電源回路２４ａ，モータ駆動回路２４ｂ，点滅回路２４ｃ，ソレノイド駆動回路２４ｄ等が実装され、これら各回路２４ａ〜２４ｄは、印刷パターン（図示せず）を介して賞球制御装置２２に接続されている。そして、操作ハンドル１３のモータ１３ａはモータ駆動回路２４ｂを介して賞球制御装置２２に接続されており、賞球制御装置２２は、モータ駆動回路２４ｂを通してモータ１３ａを駆動する。また、入賞球検出ユニット１８の第１球検出センサ１８ａは賞球制御装置２２に接続されており、賞球制御装置２２は、第１球検出センサ１８ａの検出信号に基づいて入賞球数を検出する。
　　　【００１８】
　パチンコ機本体１１の上側には大当りランプ２５が設けられている。そして、この大当りランプ２５は、点滅回路２４ｃを介して賞球制御装置２２に接続されており、賞球制御装置２２は、図柄表示装置１４ａに大当り図柄が表示されることを検出すると、点滅回路２４ｃを介して大当りランプ２５を点滅させる。また、図１に示すように、賞球回路基板２１には電源コネクタ２６ａと５つの信号入出力用コネクタ２６ｂとが実装されている。
　　　【００１９】
　これらコネクタ２６ａ，２６ｂは、賞球回路基板２１の印刷パターン（図示せず）を介して賞球制御装置２２に接続されたものであり、電源コネクタ２６ａに対のコネクタ（図示せず）を差込むと、電源コネクタ２６ａから電源回路２４ａを通して賞球制御装置２２に電源が供給される。また、上述の遊技制御装置１６ａ，ホストコンピュータ２３，モータ１３ａ，第１球検出センサ１８ａ，大当りランプ２５は、所定のコネクタ２６ｂに対のコネクタ（図示せず）を差込むことにより、賞球制御装置２２に接続されている。
　　　【００２０】
　機構盤１５の上部には、図３に示すように、賞球タンク２７が形成され、賞球タンク２７内にはパチンコ球が貯溜されている。また、機構盤１５には、賞球タンク２７に繋がる樋２８および樋２８に繋がる球供給通路２９が形成されており、賞球タンク２７内のパチンコ球は樋２８により集められ、球供給通路２９内に整列状態で充填されている。また、機構盤１５には、球供給通路２９の出口側に位置して賞球払出しユニット３０が取付けられ、賞球制御ボックス２０は、図１０に示すように、賞球払出しユニット３０の正面側に位置している。以下、賞球払出しユニット３０について詳述する。
　　　【００２１】
　まず、図６において、機構盤１５にはケース３１が取付けられ、ケース３１内にはソレノイド３２が配設されている。このソレノイド３２には、作動部材３３の上端部が回動可能に取付けられ、ソレノイド３２と作動部材３３との間には引張コイルばね３４が介在されている。従って、ソレノイド３２が励磁されると、引張コイルばね３４のばね力に抗して、作動部材３３がソレノイド３２に吸引される。また、ソレノイド３２が断電されると、引張コイルばね３４のばね力により、作動部材３３がソレノイド３２から引離される。
　　　【００２２】
　ケース３１内には、ソレノイド３２の下側に位置してラチェット爪３５が回動可能に設けられている。そして、ラチェット爪３５には作動部材３３の下端部が係合されており、ソレノイド３２の通断電に伴い作動部材３３が回動すると、ラチェット爪３５が回動するようになっている。尚、符号３５ａはラチェット爪３５の回動軸である。
　　　【００２３】
　ケース３１内にはラチェットホイール３６が回転可能に設けられ、ラチェットホイール３６の外周部には複数の係合爪部３６ａが形成されている。また、ラチェット爪３５の上端部には押圧部３５ｂが形成されており、ソレノイド３２の通電に伴い作動部材３３がソレノイド３２に吸引されると、ラチェット爪３５が矢印Ｂ方向へ回動し、ラチェット爪３５の押圧部３５ｂがラチェットホイール３６の係合爪部３６ａを押圧し、ラチェットホイール３６が矢印Ｃ方向へ回転するようになっている。
　　　【００２４】
　ラチェット爪３５の下端部には係止部３５ｃが形成されている。そして、ソレノイド３２の断電に伴い作動部材３３がソレノイド３２から離間した状態（図６に示す状態）では、ラチェット爪３５の係止部３５ｃがラチェットホイール３６の係合爪部３６ａを支え、ラチェットホイール３６が矢印Ｃ方向へ回動ずることを禁止している。尚、図６の符号３６ｂは、ラチェットホイール３６の回転軸である。
　　　【００２５】
　ラチェットホイール３６の回転軸３６ｂには径小な小ギア３７が固着されており、ラチェットホイール３６が回転すると、小ギア３７が一体的に回転するようになっている。また、ケース３１内には径大な大ギア３８が配設され、大ギア３８には爪車３９が設けられている。そして、大ギア３８は小ギア３７に噛合されており、小ギア３７が回転すると、大ギア３８および爪車３９が回転するようになっている。尚、符号３８ａは、大ギア３８および爪車３９の回転軸である。
　　　【００２６】
　ケース３１内には球通路４０が形成されている。この球通路４０は球供給通路２９の出口に繋がるものであり、パチンコ球は球供給通路２９を通り、球通路４０内にも整列状態で充填されている。また、ケース３１内には基板４１が設けられている。この基板４１には、外部接続用のコネクタ４１ａが実装されており、ソレノイド３２は、基板４１のコネクタ４１ａ→賞球回路基板２１のコネクタ２６ｂ→ソレノイド駆動回路２４ｄ→賞球制御装置２２の順序で接続されている（図５参照）。
　　　【００２７】
　そして、賞球制御装置２２は、第１球検出センサ１８ａの出力信号から「入賞球無し」を検出すると、ソレノイド駆動回路２４ｄを通じてソレノイド３２を断電し、図６に示すように、作動部材３３をソレノイド３２から引離す。すると、ラチェット爪３５の係止部３５ｃがラチェットホイール３６の係合爪部３６ａを支え、爪車３９の稜部３９ａが球通路４０内に突出する。これにより、パチンコ球が稜部３９ａにより支えられ、球通路４０内から落下防止される。
　　　【００２８】
　また、賞球制御装置２２は、第１球検出センサ１８ａの出力信号から「入賞球有り」を検出すると、ソレノイド駆動回路２４ｄを通じてソレノイド３２を通電し、作動部材３３をソレノイド３２側へ回動させる。すると、作動部材３３に連動してラチェット爪３５が矢印Ｂ方向へ回動し、まず、ラチェット爪３５の押圧部３５ｂがラチェットホイール３６の係合爪部３６ａを押圧する。
　　　【００２９】
　次に、ラチェットホイール３６および小ギア３７が矢印Ｃ方向へ回転し、大ギア３８および爪車３９が矢印Ｄ方向へ回動ずる。そして、爪車３９の谷部３９ｂ内にパチンコ球が入り込み、球通路４０の出口から送り出される。尚、作動部材３３が１往復すると、爪車３９が所定角度だけ回動し、１個のパチンコ球が送り出されるようになっている。
　　　【００３０】
　ケース３１には第２球検出センサ４２が設けられている。この第２球検出センサ４２は磁気センサからなるものであり、球通路４０内にパチンコ球が充填されていることを検出する。そして、球検出センサ４２は、基板４１のコネクタ４１ａ→賞球回路基板２１のコネクタ２６ｂ→賞球制御装置２２の順序で接続されており（図５参照）、賞球制御装置２２は、球検出センサ４２から「球通路４０内にパチンコ球有り」を検出することを前提として、ソレノイド３２を駆動することになる。
　　　【００３１】
　ケース３１には、前後方向へ延びるスライド溝３１ａが形成されている。このスライド溝３１ａ内には開閉部材４３がスライド可能に挿入され、開閉部材４３とケース３１との間には、図８に示すように、板ばね４４が介在されている。また、ケース３１には球抜口３１ｂが形成されており、開閉部材４３は板ばね４４のばね力により後方ヘスライドし、球抜口３１ｂを閉塞している。
　　　【００３２】
　開閉部材４３には操作部４３ａが形成されている。そして、板ばね４４のばね力に抗して操作部４３ａを押込操作すると、図９に示すように、開閉部材４３が前方ヘスライドし、球抜口３１ｂが開放される。また、図７に示すように、操作部４３ａは左側に向って上昇傾斜しており、操作部４３ａを押込むと、球通路４０および球抜口３１ｂ間に操作部４３ａが掛渡され、球通路４０内のパチンコ球が操作部４３ａ上を転がり、球抜口３１ｂから排出される。払出しユニット３０は、以上のように構成されている。
　　　【００３３】
　機構盤１５には、図３に示すように、球供給通路２９の上端部から分岐する球抜通路４５が形成され、球抜通路４５の下端部は排出口１９に通じている。そして、球抜通路４５の入口には流路変更部材（図示せず）が設けられており、賞球タンク２７から樋２８にかけて充填されたパチンコ球を抜取るにあたっては、流路変更部材を操作して球抜通路４５を開放し、球抜通路４５から排出口１９を通して行う。
　　　【００３４】
　払出しユニット３０の球抜口３１ｂは球抜通路４５に通じており、球供給通路２９内および払出しユニット３０内に充填されたパチンコ球を抜取るにあたっては、図８に示すように、開閉部材４３の操作部４３ａを押込操作する。すると、払出しユニット３０の球抜口３１ｂから転がり落ちたパチンコ球が球抜通路４５から排出口２０を通して排出されることになる。
　　　【００３５】
　機構盤１５には、図３に示すように、払出しユニット３０の出口側に位置して払出通路４６が形成されており、払出しユニット３０の球通路４０から送出されたパチンコ球は払出通路４６内に流入する。そして、払出通路４６は、払出口４６ａを通して賞球皿１２に通じており、払出通路４６内に払出されたパチンコ球は払出口４６ａから賞球皿１２に賞球として供給される。尚、符号４６ｂは、賞球皿１２内のパチンコ球がオーバーフローしたときに、パチンコ球が流通する払出口である。
　　　【００３６】
　パチンコ機本体１１の側方には、図４に示すように、球貸装置４７が配設され、球貸装置４７にはカード挿入口４７ａ，有効表示ランプ４７ｂ，カードリーダ４７ｃ（図５参照），カード送り機構４７ｄ（図５参照）等が設けられている。また、図１に示すように、賞球回路基板２１の下部にはコネクタ実装部２１ａが形成され、コネクタ実装部２１ａには賞球制御装置２２に接続された印刷パターン（図示せず）が形成されている。
　　　【００３７】
　コネクタ実装部２１ａにはコネクタ２６ｃが実装され、コネクタ２６ｃは、コネクタ実装部２１ａの印刷パターンを介して賞球制御装置２２に接続されている。このコネクタ２６ｃは、図１０に示すように、コネクタピン２６ｃ′（接続部に相当する）が接続口４８を通して球貸装置４７側を指向するように配置されたものであり、接続口４８を通してコネクタ２６ｃに対のコネクタ（図示せず）を差込むと、図５に示すように、有効表示ランプ４７ｂとカードリーダ４７ｃとカード送り機構４７ｄが、コネクタ２６ｃを通して賞球制御装置２２に接続されることになる。
　　　【００３８】
　賞球皿１２には、図４に示すように、残金表示装置１２ａおよび払出ボタン１２ｂが設けられている。また、図１に示すように、コネクタ実装部２１ａにはコネクタ２６ｄが実装され、コネクタ２６ｄは、コネクタ実装部２１ａの印刷パターンを介して賞球制御装置２２に接続されている。そして、コネクタ２６ｄに対のコネクタ（図示せず）を差込むと、図５に示すように、残金表示装置１２ａおよび払出ボタン１２ｂが、コネクタ２６ｄを通して賞球制御装置２２に接続される。
　　　【００３９】
　次に上記構成の作用について説明する。パチンコ遊技を行うにあたっては、球貸装置４７のカード挿入口４７ａにプリペイドカード（図示せず）を挿入する。すると、賞球制御装置２２は、カード挿入口４７ａにプリペイドカードが挿入されたことを検出し、カード送り機構４７ｄを作動させ、球貸装置４７内にプリペイドカードを取込む。
　　　【００４０】
　球貸装置４７内にプリペイドカードが取込まれると、カードリーダ４７ｃがプリペイドカードから残金情報を読取り、残金情報に応じた電気信号（プリペイドカード関連情報）を賞球制御装置２２に出力する。すると、賞球制御装置２２は、カードリーダ４７ｃの信号から「プリペイドカードの残金有り」を検出し、有効ランプ４７ｂを点灯させる。尚、賞球制御装置２２は、カードリーダ４７ｃの信号から「プリペイドカードの残金無し」を検出すると、カード送り機構４７ｄを逆転させ、プリペイドカードをカード挿入口４７ａから排出する。
　　　【００４１】
　賞球制御装置２２は、カードリーダ４７ｃの信号を検出すると、賞球皿１２の残金表示装置１２ａにプリペイドカードの残金を表示し、払出ボタン１２ｂの操作を待つ。この状態で、払出ボタン１２ｂが操作されると、払出ボタン１２ｂの操作回数に応じてソレノイド３２を駆動し、図３において、払出しユニット３０から払出通路４６の払出口４６ａを通して所定量のパチンコ球を賞球皿１２に払出す。
　　　【００４２】
　賞球皿１２にパチンコ球が払出されると、図４において、遊技者が操作ハンドル１３を矢印Ａ方向へ回動操作し、賞球皿１２内のパチンコ球を遊技盤１４上に弾き出す。そして、パチンコ球が入賞口１４ｂに入賞すると、まず、入賞球検出センサ１４ｃが入賞球を検出し、遊技制御装置１６ａに入賞球情報を出力する。次に、遊技制御装置１６ａがパチンコ球の入賞タイミングに基づいて図柄表示装置１４ａに大当り図柄を表示したり、賞球制御装置２２に大当り情報を出力したりする。
　　　【００４３】
　また、パチンコ球が入賞口１４ｂに入賞すると、第１球検出センサ１８ａが入賞球を検出し、賞球制御装置２２に入賞球情報を出力する。賞球制御装置２２は、入賞球情報を受けるとソレノイド３２を駆動し、入賞球払出しユニット３０から払出通路４６を通して賞球皿１２にパチンコ球を払出す。
　　　【００４４】
　上記実施例によれば、賞球回路基板２１にコネクタ実装部２１ａを形成した。このため、ＣＲ機を製造するにあたっては、図１に示すように、コネクタ２６ｃおよび２６ｄをコネクタ実装部２１ａに実装することにより、コネクタ２６ｃおよび２６ｄと賞球制御装置２２とを接続した後、賞球回路基板２１をパチンコ機本体１１に装着すれば良い。また、普通機を製造するにあたっては、図２に示すように、コネクタ実装部２１ａにコネクタ２６ｃおよび２６ｄを実装せず、賞球回路基板２１をパチンコ機本体１１に装着すれば良いので、ＣＲ機と普通機との間で賞球回路基板２１の組換えが可能になる。従って、コネクタ２６ｃおよび２６ｄと賞球制御装置２２とを接続するにあたって、余分な配線が廃止されるので、その結果、簡単・安価な構成により、普通機とＣＲ機との間で賞球回路基板２１を兼用できる。
　　　【００４５】
　また、賞球回路基板２１をパチンコ機本体１１の球貸装置４７側に設けたので、ＣＲ機をホールに設置するにあたって、賞球回路基板２１と球貸装置４７との配線距離が短くなり、その結果、両者の接続が容易になる。これと共に、賞球回路基板２１と賞球払出しユニット３０との間の距離が短縮されるので、賞球払出しユニット３０のソレノイド３２と賞球制御装置２２との配線，第２球検出センサ４１と賞球制御装置２２との配線等が容易化される利点もある。また、コネクタ２６ｃのコネクタピン２６ｃ′を球貸装置４７側へ指向させたので、ＣＲ機をホールに設置するにあたって、コネクタ２６ｃと球貸装置４７との接続が一層容易になる。
　　　【００４６】
　また、開閉部材４３の操作部４３ａを押込み操作すれば、払出しユニット３０からパチンコ球が排出される構成とした。このため、操作スイッチのオンを賞球制御装置２２で検出してソレノイド３２を駆動する等の電気的構成を用いる場合に比べ、賞球回路基板２１の回路構成が簡単化される。その結果、賞球回路基板２１が小形化されるので、賞球回路基板２１にコネクタ実装部２１ａを形成し易くなる。
　　　【００４７】
　　　【００４８】
　また、上記実施例においては、賞球回路ボックス２０を賞球払出しユニット３０の正面側（図３の裏側）に設けたが、これに限定されるものではなく、賞球払出しユニット３０の裏面側（図３の正面側）に設けたり、パチンコ機本体１１の隅部に設けたりしても良い。
　　　【００４９】
　　【発明の効果】
　以上の説明から明らかなように、本発明のパチンコ機は以下の効果を奏する。
　請求項１記載の手段によれば、
賞球
両
賞球
両
　　　【００５０】
　請求項２記載の手段によれば、球貸装置と
賞球
賞球
賞球
　請求項３記載の手段によれば、
賞球
【図面の簡単な説明】
　　【図１】
　本発明の一実施例を示すＣＲ機用メイン回路基板の背面図
　　【図２】
　普通機用メイン回路基板を示す背面図
　　【図３】
　全体構成を示す背面図
　　【図４】
　全体構成を示す正面図
　　【図５】
　電気的構成の概略を示すブロック図
　　【図６】
　賞球払出しユニットの縦断背面図
　　【図７】
　賞球払出しユニットの作用を説明するための図６相当図
　　【図８】
　賞球払出しユニットの側面図
　　【図９】
　賞球払出しユニットの作用を説明するための図８相当図
　　【図１０】
　要部の側面図
　　【図１１】
　従来例を示す図３相当図
　　【符号の説明】
　１１はパチンコ機本体、
１２は賞球皿、１２ｂは払出ボタン、１６は遊技回路ボックス、
板、
置、